(57)【特許請求の範囲】
【請求項１】
発光体が取り付けられた基板と前記発光体からの光を反射する反射部材とを含む器具本体と、前記発光体を埋め込んで固定する透光性充填材とから成る照明器具において、前記反射部材は、前記発光体に取り付けられた支持体と前記器具本体から光を放射するように前記支持体に形成された反射層とから成り、前記反射部材は、前記透光性充填材によって埋め込み固定されていることを特徴とする照明器具。
【請求項２】
複数の発光体が間隔をあけて取り付けられた基板と前記発光体からの光を放射する反射部材とを含む器具本体と、前記複数の発光体を埋め込んで固定するよう前記器具本体内に充填された透光性充填材とから成る照明器具において、前記反射部材は、前記複数の発光体の少なくとも１つの発光体に取り付けられた支持体と前記器具本体から光を放射するように前記支持体に形成された反射層とから成り、前記反射部材は、前記透光性充填材による埋め込みよって前記発光体に固定されていることを特徴とする照明器具。
【請求項３】
請求項１又は２に記載の照明器具であって、前記反射部材の支持体は、透光性を有することを特徴とする照明器具。
【請求項４】
請求項１乃至３のいずれかに記載の照明器具であって、前記反射部材の支持体は、前記発光体に仮止めするための爪を有することを特徴とする照明器具。
【請求項５】
請求項１乃至４のいずれかに記載の照明器具であって、前記反射部材は、隣り合う２つ以上の発光体に跨って支持される長さを有することを特徴とする照明器具。
【請求項６】
請求項１乃至５のいずれかに記載の照明器具であって、前記反射層は、前記支持体の基部の一片から垂直に又は傾斜して立ち上る壁の内面に形成されていることを特徴とする照明器具。
【請求項７】
請求項１乃至６のいずれかに記載の照明器具であって、前記器具本体は、前記基板を載置する底面を有する筺体を含んでいることを特徴とする照明器具。
【発明の詳細な説明】
【技術分野】
【０００１】
本発明は、発光体からの光を反射層で反射して被照射部位に光を間接的に照射するショーウインドーやショールームの如き店装、展示用又は応接間や居間の如き住宅用に好適な照明器具及びこの照明器具に用いられる反射部材に関するものである。
【背景技術】
【０００２】
この種の照明器具は、例えば、特許文献１の図３に示すように、複数の発光体（ＬＥＤチップ）１０４が間隔をあけて取り付けられた基板１０２とこれらの発光体１０４からの光を反射して開口（光出口面）１２４を通して放射する反射部材とを含む器具本体と、複数の発光体１０４を埋め込んで固定するよう器具本体内に充填された透光性充填材（封止材）１１０とから成っている。
【０００３】
特許文献１の技術では、反射部材は、基板１０２に相対面して一体に取り付けて固定された反射器ブロック１０６から成っており、器具本体の開口１２４は、基板１０４と反射器ブロック１０６との間で形成され、透光性充填材１１０は、基板１０４と反射器ブロック１０６とで囲まれた空間内に充填されている。
【０００４】
この従来技術の照明器具の反射部材は、特許文献１の図４乃至図６に示すように、基板１０２に相対して取り付けられるので、基板１０２に接着などにより固定しなければならなかった。また、基板と反射部材とは、小さな接触部分で相互に固定して取り付けられるので、器具本体の強度が低く、透光性充填材が基板と反射部材とに跨って充填されていても、照明器具に高い耐久性を付与することができない欠点があった。更に、反射部材を基板１に対してずれて固定すると、発光体に対する反射部材の位置もずれて発光体の光が良好に反射しなくなるので、これを防止するために、反射部材のほぼ全体にわたって反射層を設ける必要があった。
【０００５】
【特許文献１】特開２００７−３１７６５９号公報
【発明の開示】
【発明が解決しようとする課題】
【０００６】
本発明が解決しようとする第１の課題は、反射部材を簡単に固定することができ、また反射部材を高い強度で器具本体に固定して取り付けることができる照明器具を提供することにある。
【０００７】
本発明が解決しようとする第２の課題は、照明器具に簡単に固定することができる照明器具用反射部材を提供することにある。
【課題を解決するための手段】
【０００８】
本発明の第１の課題を解決するための１つの形態による手段は、発光体が取り付けられた基板とこの発光体からの光を反射する反射部材とを含む器具本体と、発光体を埋め込んで固定する透光性充填材とから成る照明器具において、反射部材は、発光体に支持された支持体と器具本体から光を放射するように支持体に形成された反射層とから成り、この反射部材は、透光性充填材によって埋め込み固定されていることを特徴とする照明器具を提供することにある。
【０００９】
本発明の第１の課題を解決するための他の形態による手段は、複数の発光体が間隔をあけて取り付けられた基板と発光体からの光を反射する反射部材とを含む器具本体と、これらの複数の発光体を埋め込んで固定するように器具本体内に充填された透光性充填材とから成る照明器具において、反射部材は、複数の発光体の少なくとも１つの発光体に支持された支持体と器具本体から光を放射するように支持体に形成された反射層とから成り、反射部材は、透光性充填材よる埋め込みによって発光体に固定されていることを特徴とする照明器具を提供することにある。
【００１０】
本発明の第１の課題解決手段において、反射部材は、その支持体が透光性であるのが好ましく、また反射部材は、発光体に仮止めして支持することができる爪を支持体に有するのが好ましく、また隣り合う２つ以上の発光体に跨って支持される長さを有することもできる。更に、反射層は、支持体の基部の一片から垂直又は傾斜して立ち上る壁の内面に形成されている形態とすることができる。
【００１１】
また、本発明の第１の課題解決手段において、器具本体は、基板を載置する底面を有する横断面略Ｕ字形の筺体を含んでいるのが好ましい。
【００１２】
本発明の第２の課題を解決するための手段は、少なくとも１つの発光体からの光を反射する反射層を有する照明器具用反射部材において、前記発光体に支持されるべき支持体を備えたことを特徴とする照明器具用反射部材を提供することにある。
【００１３】
本発明の第２の課題解決手段において、支持体は透光性を有するのが好ましく、また、この支持体は、発光体に仮止めするための爪を有するのが好ましい。
【発明の効果】
【００１４】
本発明によると、反射部材は、基板に取り付けるのではなく、基板上の発光体に取り付けて発光体と共に透光性充填材内に埋め込まれるので、透光性充填材によって確実に器具本体内に固定され、高い耐久性を有する照明器具を提供することができる。
【００１５】
また、反射部材は、基板に相対してではなく、発光体に取り付けられるので、反射部材の取り付けが容易であり、また発光体からの光の一部は、器具本体の開口に直接誘導されるが、他の一部は、反射部材の反射層で反射して器具品体の開口に誘導されるので、光の分散を伴うことなく全体的に光を絞った状態で高い強度で有効に放射することができる。
【発明を実施するための最良の形態】
【００１６】
本発明の１つの実施の形態による照明器具１０が図１乃至図５に示されており、この照明器具１０は、複数の発光体２０が間隔をあけて取り付けられた基板３０とこれらの発光体２０からの光を反射して開口５２Ｈを通して放射する反射部材４０とを含む器具本体５０と、複数の発光体２０を反射部材４０と共に埋め込んで固定するよう器具本体５０内に充填された透光性充填材６０（図２参照）から成っている。
【００１７】
器具本体５０は、基板３０を載置する底面５２Ｂを有する横断面略Ｕ字形の筺体５２を含んでいる。図示の形態では、この筐体５２は、同じ高さの両側壁５２Ｓを有していてもよいが、図２及び図９に示すように、一方の側壁５２ＳＲが他方の側壁５２ＳＬよりも高く形成されている。この筐体５２は、基板３０が延びていない両端部分に照明器具１０をショーウインドー等の被取付け壁Ｗ（図２参照）にねじ止めするためのねじ貫通孔５２ＴＨを有するのが示されているが、この取付け手段は、ねじ以外に接着その他の適宜の手段とすることができる。
【００１８】
発光体２０は、ＬＥＤランプその他適宜の発光素子とすることができるが、図示の例では、基板３０が回路基板を兼ねてこの回路基板に印刷配線で所定の駆動回路に接続されたＬＥＤランプであるのが示されている。図１において、符号２２は、回路基板の配線部に接続されて外部電源に接続するためのリード線を示す。
【００１９】
反射部材４０は、各発光体２０に支持して取り付けられるポリカーボネードの如き透明プラスチック製の透光性支持体４２と器具本体５０の開口５２Ｈに向けて光Ｌが反射するように支持体４２に形成された反射層４４とから成っている。
【００２０】
図示の形態では、反射部材４０の支持体４２は、断面Ｌ字形であり、その水平壁４２Ｈは、発光体２０の上面に係合する部分であり、この発光体２０の前後端面と両側端面とにそれぞれ被せて仮止めすることができる爪４２Ｐ１、４２Ｐ２を有する。図示の例では、爪４２Ｐ１は、爪４２Ｐ２よりも高く形成されている。
【００２１】
反射部材４０の反射層４４は、Ｌ字形の支持体４２の垂直壁４２Ｖの内面（水平壁を有する側の面）に形成されている。この反射層４４は、アルミ箔の如き反射性フィルムを接着したり、アルミニウムを蒸着したりして形成することができる。
【００２２】
透光性充填材６０は、反射部材４０が仮止めされた発光体２０を有する基板３０を筐体５０に載置した状態で筐体５０の両端のねじ貫通孔５２ＴＨを有する部分を除く部分に充填して発光体２０を有する基板３０を筐体５０内に固定すると共に、発光体２０に仮止めされた反射部材４０を発光体２０上に固定する。この充填材としては、シリコーンポリマーその他適宜の材料を使用することができる。
【００２３】
このように、反射部材４０が略Ｌ字形の支持体４２とその垂直壁４２Ｖの内面に反射層４４を有し、この反射部材４０が支持体４２を各発光体２０に仮止めし、透光性充填材６０で発光体２０に固定されると、反射層４４は、図２に示すように、発光体２０の光放射面（上面）の一側に垂直に位置することになる。
【００２４】
従って、発光体２０からの光Ｌは、図９に示すように、筐体５０の低い側壁５２ＳＬと反射部材４０の支持体４２の垂直壁４２Ｖとの間では開口５２Ｈに直接放射され、また反射部材４０の支持体４２の垂直壁４２Ｖの上縁より下の部分では、反射層４４に反射されて筐体５０の低い側壁５２ＳＬと反射部材４０の支持体４２の垂直壁４２Ｖとの間で開口５２Ｈに放射される。
【００２５】
もし、反射部材４０がないと、図１０に示すように、発光体２０からの光Ｌは、すべて、筐体５２の両側壁５２Ｓの間の開口５２Ｈを通して幅広く放出されるので、光の強度が弱くなるが、本発明の照明器具１０は、反射部材４０を有するので、発光体２０の光Ｌは、筐体５０の低い側壁５２ＳＬと反射部材４０の支持体４２の垂直壁４２Ｖとの間に絞られた状態で放射されるので、高い強度で光を放出ることができる。
【００２６】
本発明の他の実施の形態が図７及び図８に示されており、この実施の形態では、反射部材４０が複数の発光体２０、図示の例では、３つの発光体２０毎に、これらの発光体２０に跨って仮止めして取り付けられており、この場合も、図示しない透光性充填材６０が発光体２０を有する基板３０を筐体５２に固定すると共に、反射部材４０を相応する３つの発光体２０に固定している。
【００２７】
この実施の形態では、各発光体２０に相応して反射層４４が位置するだけでなく、隣り合う発光体２０の間の空間にも反射層４４が延びているので（図８の符号４４Ｅ参照）、隣り合う発光体２０の間で発光体２０の光Ｌが図１０のように広がることがなく、光Ｌの拡散を防止して光Ｌを高い強度で有効に放出することができるので好ましい。
【００２８】
上記実施の形態では、反射部材４０の反射層４４は、支持体４２の垂直壁４２Ｖに設けられているが、この垂直壁４２Ｖに代わって、この壁部分が若干内側又は外側に傾斜していて、この傾斜壁に設けられていてもよい。
【００２９】
また、上記実施の形態では、反射部材４０は、１つ又は複数の発光体２０毎に取り付けられているが、１つの反射部材４０がすべての発光体２０に跨って取り付けられていてもよい。
【００３０】
また、上記実施の形態では、支持体４２は透光性を有しているが、透光性は、必ずしも必要ではない。例えば、支持部をリング状として、このリング状の支持部を発光体の側面に嵌めこむことも可能である。
さらに、上記実施の形態では、透光性充填材により、反射部材を発光体に固定しているが、必ずしも透光性充填材を用いる必要はない。例えば、反射部材の支持体に抜け止め弾性部を設けて発光体に固定することも可能であり、また、支持体を接着材で直に発光体に固定することも可能である。
【産業上の利用可能性】
【００３１】
本発明によれば、反射部材は、基板上の発光体に直接取り付けられて発光体と共に透光性充填材内に埋め込まれるので、高い耐久性を有し、また光の分散を伴うことなく全体的に光を絞った状態で高い強度で放射することができ、高い産業上の利用性を有する。
【図面の簡単な説明】
【００３２】
【図１】本発明の１つの実施の形態による照明器具をその透光性充填材を省略して示す正面図である。
【図２】図１の照明器具の透光性充填材を省略することなく示す横断面図である。
【図３】図１の３−３線断面図である。
【図４】図１の４−４線断面図である。
【図５】図１の照明器具の分解斜視図である。
【図６】図１の照明器具に用いられる反射部材を示し、同図（Ａ）乃至（Ｅ）は、それぞれ、その正面図、上面図、下面図、側面図及び斜視図、同図（Ｆ）は、同図（Ａ）のＦ−Ｆ線断面図、同図（Ｇ）は、同図（Ｂ）のＧ−Ｇ線断面図である。
【図７】本発明の他の実施の形態による照明器具を図５と同様の方法で示した分解斜視図である。
【図８】図７の照明器具に用いられる反射部材を発光体に支持した状態の縦断面図である。
【図９】本発明の照明器具の光放射状態を説明する横断面図である。
【図１０】本発明の照明器具から反射部材を取り除いた場合の光放射状態の横断面図である。
【符号の説明】
【００３３】
１０      照明器具
２０      複数の発光体
２２      リード線
３０      基板
５２Ｈ    開口
４０      反射部材
４２      透光性支持体
４２Ｈ    水平壁
４２Ｖ    垂直壁
４２Ｐ１  爪
４２Ｐ２  爪
４４      反射層
５０      器具本体
５２      筐体
５２Ｂ    底面
５２Ｓ    側壁
５２ＳＬ  側壁
５２ＳＲ  側壁
５２ＴＨ  ねじ貫通孔
６０      透光性充填材
Ｗ        被取付け壁
Ｌ        光
【図１】
0005005573.tif 000002
【図２】
0005005573.tif 000003
【図３】
0005005573.tif 000004
【図４】
0005005573.tif 000005
【図５】
0005005573.tif 000006
【図６】
0005005573.tif 000007
【図７】
0005005573.tif 000008
【図８】
0005005573.tif 000009
【図９】
0005005573.tif 000010
【図１０】
0005005573.tif 000011